(57)【特許請求の範囲】
【請求項１】
曲率を有する搬送通路に沿って記録シートを搬送する搬送手段と、
前記搬送通路において記録シートが２枚以上重なって搬送された重送状態を検出する重送検出手段と、
前記重送検出手段によって前記重送状態が検出される前記記録シートの部分の、当該重送検出手段に対する姿勢を安定させる姿勢安定手段とを備え、
前記搬送通路は、当該搬送通路の曲率半径の外側に配置されている外側案内部材と、当該外側案内部材よりも当該曲率半径の内側に配置されている内側案内部材とによって仕切られ、
前記搬送通路の前記内側案内部材は、前記重送検出手段の近傍で前記記録シートの少なくとも片面側で当該記録シートを案内する案内面を有するとともに当該案内面は凸面であり、
前記姿勢安定手段は、前記記録シートを前記内側案内部材の前記案内面に押圧する押圧手段であり、
前記押圧手段は、前記外側案内部材に設けられているとともに、前記搬送通路において、前記記録シートを前記案内面の前記凸面の外方から当該凸面に押圧し、
前記搬送手段は、前記凸面に沿って前記記録シートを搬送する
ことを特徴とする記録シートの搬送装置。
【請求項２】
前記外側案内部材は、開口を有し、
前記押圧手段の一部は、前記外側案内部材の前記開口を通して前記搬送通路に突出して前記記録シートに接することを特徴とする請求項１に記載の記録シートの搬送装置。
【請求項３】
前記押圧手段は、回転可能な円柱状の押圧部を有することを特徴とする請求項１に記載の記録シートの搬送装置。
【請求項４】
前記押圧手段は、前記記録シートを押圧する付勢手段を有することを特徴とする請求項１に記載の記録シートの搬送装置。
【請求項５】
前記押圧手段は、押圧部と、当該押圧部の端部に設けられている軸部と、当該軸部の上に前記記録シートの搬送方向に架け渡すように設けられている付勢手段と、を有し、
前記押圧部は、前記付勢手段によって、前記外側案内部材から前記内側案内部材の方向へ押圧することを特徴とする請求項１に記載の記録シートの搬送装置。
【請求項６】
前記押圧手段は、前記記録シートの搬送動作を阻害しないことを特徴とする請求項１に記載の記録シートの搬送装置。
【請求項７】
前記押圧手段は、前記記録シートの搬送方向に交差する方向に沿って、前記重送検出手段によって前記重送状態が検出される当該記録シートの部分を挟んで複数設けられている請求項１に記載の記録シートの搬送装置。
【請求項８】
前記押圧手段は、前記記録シートの搬送方向に沿って、前記重送検出手段によって前記重送状態が検出される当該記録シートの部分を挟んで複数設けられている請求項１に記載の記録シートの搬送装置。
【請求項９】
曲率を有する搬送通路に沿って記録シートを搬送する搬送手段と、当該搬送通路において記録シートが２枚以上重なって搬送された重送状態を検出する重送検出手段と、当該重送検出手段によって当該重送状態が検出される当該記録シートの部分の、当該重送検出手段に対する姿勢を安定させる姿勢安定手段とを備え、当該搬送通路は、当該搬送通路の曲率半径の外側に配置されている外側案内部材と、当該外側案内部材よりも当該曲率半径の内側に配置されている内側案内部材とによって仕切られ、当該搬送通路の当該内側案内部材は、当該重送検出手段の近傍で当該記録シートの少なくとも片面側で当該記録シートを案内する凸面である案内面を有し、当該姿勢安定手段は、当該記録シートを当該内側案内部材の当該案内面に押圧する押圧手段であり、当該押圧手段は、当該外側案内部材に設けられているとともに、当該搬送通路において、当該記録シートを当該案内面の当該凸面の外方から当該凸面に押圧し、当該搬送手段は、当該凸面に沿って当該記録シートを搬送する記録シート搬送部と、
前記搬送通路のうち、前記姿勢安定手段よりも、前記記録シートの搬送方向の下流側に設けられた、当該記録シートに記録された画像を読み取る画像読取部とを備えたことを特徴とする画像読取装置。
【発明の詳細な説明】
【技術分野】
【０００１】
本発明は、記録シートの搬送装置及び画像読取装置に関する。
【背景技術】
【０００２】
シートの供給装置において、シートを載せるスタッカー上にシートの搬送方向長さを判別するシートサイズ認識手段を設け、このスタッカーから処理プラテンにシートを案内する搬送ガイド中の２つの搬送手段の間に超音波センサなどの重送検知手段を配置して、シートの重送を検出するものがある（例えば、特許文献１参照）。
また、用紙搬送部から搬送されてくる用紙に対して印刷処理を行う印刷部と、用紙搬送部内の判定位置において重送が発生しているか否かを判定する重送検出センサとが含まれる画像形成装置において、用紙搬送部は、両面印刷処理時において１回目の印刷処理の処理対象となる用紙を印刷部へ案内する第１経路と、両面印刷処理時において１回目の印刷処理が施された後且つ２回目の印刷処理の処理対象となる用紙を印刷部へ案内する第２経路とを含み、判定位置Ｔは、第１経路に配されており、第２経路には配されていないものがある（例えば、特許文献２参照）。
【先行技術文献】
【特許文献】
【０００３】
【特許文献１】特開２００５−１６２４２５号公報
【特許文献２】特開２００８−２５４８９５号公報
【発明の概要】
【発明が解決しようとする課題】
【０００４】
記録シートの搬送通路が曲率を有する部分では、直線部分よりも、重送検出手段に対する記録シートの姿勢がばらつき易い。また、一般に重送検出手段を含む検知手段は検知領域がそれぞれ決まっている。記録シートの姿勢のばらつきは、重送検出手段による記録シートの重送状態の検出結果にばらつきを生じさせる。そこで、従来は、記録シートが平坦となる搬送通路の直線部分に重装検出手段を配置していて、レイアウトに制約があった。
本発明は、搬送通路が曲率を有していても、重送検出手段による記録シートの重送状態の検出結果のばらつきを抑制することを目的とする。
【課題を解決するための手段】
【０００５】
請求項１に係る発明は、曲率を有する搬送通路に沿って記録シートを搬送する搬送手段と、前記搬送通路において記録シートが２枚以上重なって搬送された重送状態を検出する重送検出手段と、前記重送検出手段によって前記重送状態が検出される前記記録シートの部分の、当該重送検出手段に対する姿勢を安定させる姿勢安定手段とを備え、前記搬送通路は、当該搬送通路の曲率半径の外側に配置されている外側案内部材と、当該外側案内部材よりも当該曲率半径の内側に配置されている内側案内部材とによって仕切られ、前記搬送通路の前記内側案内部材は、前記重送検出手段の近傍で前記記録シートの少なくとも片面側で当該記録シートを案内する案内面を有するとともに当該案内面は凸面であり、前記姿勢安定手段は、前記記録シートを前記内側案内部材の前記案内面に押圧する押圧手段であり、前記押圧手段は、前記外側案内部材に設けられているとともに、前記搬送通路において、前記記録シートを前記案内面の前記凸面の外方から当該凸面に押圧し、前記搬送手段は、前記凸面に沿って前記記録シートを搬送することを特徴とする記録シートの搬送装置である。
請求項２に係る発明は、前記外側案内部材は、開口を有し、前記押圧手段の一部は、前記外側案内部材の前期開口を通して前記搬送通路に突出して前記記録シートに接することを特徴とする請求項１に記載の記録シートの搬送装置である。
請求項３に係る発明は、前記押圧手段は、回転可能な円柱状の押圧部を有することを特徴とする請求項１に記載の記録シートの搬送装置である。
請求項４に係る発明は、前記押圧手段は、前記記録シートを押圧する付勢手段を有することを特徴とする請求項１に記載の記録シートの搬送装置である。
請求項５に係る発明は、前記押圧手段は、押圧部と、当該押圧部の端部に設けられている軸部と、当該軸部の上に前記記録シートの搬送方向に架け渡すように設けられている付勢手段と、を有し、前記押圧部は、前記付勢手段によって、前記外側案内部材から前記内側案内部材の方向へ押圧することを特徴とする請求項１に記載の記録シートの搬送装置である。
請求項６に係る発明は、前記押圧手段は、前記記録シートの搬送動作を阻害しないことを特徴とする請求項１に記載の記録シートの搬送装置である。
請求項７に係る発明は、前記押圧手段は、前記記録シートの搬送方向に交差する方向に沿って、前記重送検出手段によって前記重送状態が検出される当該記録シートの部分を挟んで複数設けられている請求項１に記載の記録シートの搬送装置である。
請求項８に係る発明は、前記押圧手段は、前記記録シートの搬送方向に沿って、前記重送検出手段によって前記重送状態が検出される当該記録シートの部分を挟んで複数設けられている請求項１に記載の記録シートの搬送装置である。
請求項９に係る発明は、曲率を有する搬送通路に沿って記録シートを搬送する搬送手段と、当該搬送通路において記録シートが２枚以上重なって搬送された重送状態を検出する重送検出手段と、当該重送検出手段によって当該重送状態が検出される当該記録シートの部分の、当該重送検出手段に対する姿勢を安定させる姿勢安定手段とを備え、当該搬送通路は、当該搬送通路の曲率半径の外側に配置されている外側案内部材と、当該外側案内部材よりも当該曲率半径の内側に配置されている内側案内部材とによって仕切られ、当該搬送通路の当該内側案内部材は、当該重送検出手段の近傍で当該記録シートの少なくとも片面側で当該記録シートを案内する凸面である案内面を有し、当該姿勢安定手段は、当該記録シートを当該内側案内部材の当該案内面に押圧する押圧手段であり、当該押圧手段は、当該外側案内部材に設けられているとともに、当該搬送通路において、当該記録シートを当該案内面の当該凸面の外方から当該凸面に押圧し、当該搬送手段は、当該凸面に沿って当該記録シートを搬送する記録シート搬送部と、前記搬送通路のうち、前記姿勢安定手段よりも、前記記録シートの搬送方向の下流側に設けられた、当該記録シートに記録された画像を読み取る画像読取部とを備えたことを特徴とする画像読取装置である。
【発明の効果】
【０００６】
請求項１及び９に係る発明によれば、搬送通路が曲率を有していても、重送検出手段に対する記録シートの姿勢のばらつきを抑制する。
請求項２に係る発明によれば、記録シートの両面から円柱状のころ対で挟んで記録シートの姿勢を安定させる構成に比べて、記録シートの姿勢を安定させる。
請求項３に係る発明によれば、記録シートとの摩擦を減少することで、記録シートの円滑な搬送を妨げない。
請求項４に係る発明によれば、記録シートに適切な押圧力を付与することで、記録シートの姿勢の安定性を高める。
請求項５に係る発明によれば、位置ずれのおこりやすい外側案内部材に押圧するのではなく、位置ずれのおこりにくい内側案内部材に押圧することで、記録シートの姿勢の安定性を高める。
請求項６に係る発明によれば、記録シートの円滑な搬送を妨げないとともに、記録シートの姿勢の安定性を高める。
請求項７に係る発明によれば、検出される部分を幅方向の両側から押圧することで、姿勢の安定性を高める。
請求項８に係る発明によれば、押圧手段の配置の自由度を高める。
【図面の簡単な説明】
【０００７】
【図１】本発明の一実施の形態に係る画像読取装置を示す側部断面図である。
【図２】図１に示した画像読取装置における用紙送り装置の詳細を示す図である。
【図３】用紙送り装置の内部を透視した平面図である。
【図４】図３における外側案内板を透視した平面図である。
【図５】図３におけるＶ−Ｖ線に沿った要部断面を示す図である。
【図６】押圧手段の詳細の構成を示す斜視図である。
【図７】図３におけるVII−VII線に沿った要部断面を示す図である。
【図８】図３におけるVIII−VIII線に沿った要部断面を示す図である。
【図９】用紙が２つの搬送ローラによって支持されている状態で、これら２つの搬送ローラの間での用紙の曲り具合を示す模式図である。
【図１０】押圧手段を、超音波センサによって重送状態が検出される用紙の部分を、用紙の搬送方向及び幅方向に沿ってそれぞれ挟んで隣接する部分の４か所に設けた構成を示す図３相当の要部平面図である。
【発明を実施するための形態】
【０００８】
以下、添付図面を参照して、本発明の実施の形態について説明する。
＜画像読取装置の説明＞
図１は、本発明の一実施の形態に係る画像読取装置１を示す側部断面図である。
図示の画像読取装置１は、原稿である用紙Ｐ（記録シートの一例）に保持されている画像を読み取って、この画像に対応した画像情報を取得するものである。この画像読取装置１は、複数の用紙Ｐが束ねられた用紙束から用紙Ｐを１枚ずつ順次搬送する用紙送り装置１０（記録シートの搬送装置及び記録シート搬送部の一例）と、画像を読み込むスキャナ装置７０とを備えている。
【０００９】
＜用紙送り装置＞
図２は、図１に示した用紙送り装置１０の詳細を示す図である。図示の用紙送り装置１０は、用紙束を積載する用紙収容部１１、読み取りが終了した用紙Ｐ（図１参照）を積載する排紙収容部１２、用紙収容部１１から排紙収容部１２まで用紙Ｐを通過させる搬送通路２０及び用紙Ｐを搬送通路２０に沿って搬送する搬送手段３０を備えている。
なお、以下の説明では便宜上、用紙Ｐが用紙収容部１１に積載された状態で画像読取装置１の上方を向く面を用紙Ｐの表面（おもてめん）と称し、下方を向く面を用紙Ｐの裏面と称するものとする。
【００１０】
（搬送通路）
搬送通路２０は、用紙収容部１１から図示左方向に延び、その左方に延びた先から下方に向けて、反時計回り方向に曲率を有して湾曲して延び、さらに、到達した下方から、用紙送り装置１０の右下の排紙収容部１２に向けて図示右方向に延びている。なお、曲率を有してとは、曲率が０（ゼロ）でないことを意味する。
搬送通路２０は、詳しくは図２に示すように、用紙Ｐの厚さを超える間隔を以て配置された内側案内板２２と外側案内板２１とによって仕切られている。外側案内板２１は、搬送通路２０の半径方向の外側に配置され、内側案内板２２は外側案内板２１よりも半径方向の内側に配置されている。
【００１１】
（搬送手段）
搬送手段３０は、搬送通路２０に沿って設けられた複数の搬送ロール及び搬送ロールを駆動する、図示を省略した駆動手段を備えている。これら複数の搬送ロールは、具体的には、搬送通路２０に沿って用紙Ｐ（図１参照）が搬送される搬送方向Ｘの上流側から順に、繰り出しロール３１、捌きロール３２、レジロール３３、送りロール３４、アウトロール３５及び排出ロール３６である。
【００１２】
繰り出しロール３１は、用紙収容部１１から用紙Ｐを取り出して搬送通路２０に用紙Ｐを繰り出す搬送ロールであり、用紙Ｐの裏面の側に配置された、樹脂で形成された繰り出し第１ロール３１ａと、用紙Ｐの表面（おもてめん）の側に配置された、外周面にゴム材が巻かれた繰り出し第２ロール３１ｂ及び繰り出し第３ロール３１ｃとを備えている。
繰り出し第２ロール３１ｂと繰り出し第３ロール３１ｃとは、搬送方向Ｘに沿って並んで、支持部材３１ｄにより一体に支持されている。繰り出し第１ロール３１ａと繰り出し第２ロール３１ｂとは接触していて、繰り出し第１ロール３１ａに繰り出し第２ロール３１ｂが接触している状態で、支持部材３１ｄ、繰り出し第２ロール３１ｂ及び繰り出し第３ロール３１ｃの全体が繰り出し第２ロール３１ｂ回りに揺動自在となっている。そして、用紙Ｐを繰り出すときは、繰り出し第３ロール３１ｃが内側案内板２２に接する位置まで傾いて、内側案内板２２に繰り出し第３ロール３１ｃが接する。
【００１３】
図示を省略した駆動手段により、繰り出し第２ロール３１ｂ及び繰り出し第３ロール３１ｃが同期して同一方向（図示の例では、時計回り方向）に回転することで、内側案内板２２と繰り出し第３ロール３１ｃとの間に用紙Ｐが挟まれて、用紙Ｐは搬送通路２０に沿って搬送方向Ｘの下流側に搬送される。搬送された用紙Ｐは、繰り出し第２ロール３１ｂと繰り出し第１ロール３１ａとの間に挟まれて、搬送通路２０に沿って搬送方向Ｘのさらに下流側に搬送される。
【００１４】
捌きロール３２は、繰り出しロール３１よりも用紙Ｐの搬送方向Ｘの下流側に設けられ、用紙Ｐを１枚ずつ捌き、さらに搬送方向Ｘの下流側に向けて搬送する搬送ロールである。捌きロール３２は、用紙Ｐの裏面の側に配置された、外周面にゴム材が巻かれた捌き第１ロール３２ａと、用紙Ｐの表面（おもてめん）の側に配置された、樹脂で形成された捌き第２ロール３２ｂとを備えている。
捌き第１ロール３２ａと捌き第２ロール３２ｂとは接触していて、図示を省略した駆動手段により、捌き第１ロール３２ａが回転する（図示の例では、反時計回り方向）ことで、繰り出しロール３１から送られてきた用紙Ｐが、捌き第１ロール３２ａと捌き第２ロール３２ｂとの間に挟まれて、用紙Ｐは搬送通路２０に沿って搬送方向Ｘのさらに下流側に搬送される。
【００１５】
レジロール３３は、捌きロール３２よりも用紙Ｐの搬送方向Ｘの下流側に設けられ、用紙Ｐのレジストレーションの調整を行いながら、用紙Ｐを搬送方向Ｘの下流側に搬送する搬送ロールである。レジロール３３は、用紙Ｐの裏面の側に配置された、外周面にゴム材が巻かれたレジ第１ロール３３ａと、用紙Ｐの表面（おもてめん）の側に配置された、樹脂で形成されたレジ第２ロール３３ｂとを備えている。
レジ第１ロール３３ａとレジ第２ロール３３ｂとは接触していて、図示を省略した駆動手段により、レジ第１ロール３３ａが回転する（図示の例では、反時計回り方向）ことで、捌きロール３２から送られてきた用紙Ｐが、レジ第１ロール３３ａとレジ第２ロール３３ｂとの間に挟まれて、用紙Ｐは搬送通路２０に沿って搬送方向Ｘのさらに下流側に搬送される。
【００１６】
送りロール３４は、レジロール３３よりも用紙Ｐの搬送方向Ｘの下流側に設けられ、用紙Ｐを、送りロール３４とアウトロール３５との間に設けられたプラテン部材３９に向けてさらに搬送方向Ｘの下流側に搬送する搬送ロールである。送りロール３４は、用紙Ｐの裏面の側に配置された、外周面にゴム材が巻かれた送り第１ロール３４ａと、用紙Ｐの表面（おもてめん）の側に配置された、樹脂で形成された送り第２ロール３４ｂとを備えている。
送り第１ロール３４ａと送り第２ロール３４ｂとは接触していて、図示を省略した駆動手段により、送り第１ロール３４ａが回転する（図示の例では、反時計回り方向）ことで、レジロール３３から送られてきた用紙Ｐが、送り第１ロール３４ａと送り第２ロール３４ｂとの間に挟まれて、用紙Ｐは搬送通路２０に沿って搬送方向Ｘのさらに下流側に搬送される。
【００１７】
プラテン部材３９は、送りロール３４により送られてきた用紙Ｐの表面を、スキャナ装置７０（図１参照）の第１プラテンガラス７２Ａに押し付けた状態とする。プラテン部材３９を通り過ぎた用紙Ｐは、スキャナ装置７０の原稿台７１に設けられたガイド部材８２の斜面に沿って上方に案内され、搬送通路２０に沿って搬送方向Ｘのさらに下流側のアウトロール３５に向けて搬送される。
【００１８】
アウトロール３５は、図２に示すように、プラテン部材３９よりも用紙Ｐの搬送方向Ｘの下流側に設けられ、用紙Ｐを、さらに搬送方向Ｘの下流側に搬送する搬送ロールである。アウトロール３５は、用紙Ｐの裏面の側に配置された、外周面にゴム材が巻かれたアウト第１ロール３５ａと、用紙Ｐの表面（おもてめん）の側に配置された、樹脂で形成されたアウト第２ロール３５ｂとを備えている。
アウト第１ロール３５ａとアウト第２ロール３５ｂとは接触していて、図示を省略した駆動手段により、アウト第１ロール３５ａが回転する（図示の例では、反時計回り方向）ことで、プラテン部材３９を通過してきた用紙Ｐが、アウト第１ロール３５ａとアウト第２ロール３５ｂとの間に挟まれて、用紙Ｐは搬送通路２０に沿って搬送方向Ｘのさらに下流側に搬送される。
【００１９】
排出ロール３６は、アウトロール３５よりも用紙Ｐの搬送方向Ｘの下流側に設けられ、用紙Ｐを、搬送方向Ｘの下流の排紙収容部１２に搬送する搬送ロールである。排出ロール３６は、用紙Ｐの裏面の側に配置された、外周面にゴム材が巻かれた排出第１ロール３６ａと、用紙Ｐの表面（おもてめん）の側に配置された、外周面にゴム材が巻かれた排出第２ロール３６ｂとを備えている。
排出第１ロール３６ａと排出第２ロール３６ｂとは接触していて、図示を省略した駆動手段により、排出第１ロール３６ａが回転する（図示の例では、反時計回り方向）ことで、アウトロール３５から送られてきた用紙Ｐが、排出第１ロール３６ａと排出第２ロール３６ｂとの間に挟まれて、用紙Ｐは排紙収容部１２に排出される。
【００２０】
上述した捌きロール３２、レジロール３３、送りロール３４及びアウトロール３５はそれぞれ、内側案内板２２の側に配置された第１ロール（捌き第１ロール３２ａ、レジ第１ロール３３ａ、送り第１ロール３４ａ及びアウト第１ロール３５ａ）と外側案内板２１の側に配置された第２ロール（捌き第２ロール３２ｂ、レジ第２ロール３３ｂ、送り第２ロール３４ｂ及びアウト第２ロール３５ｂ）との共通接線が、搬送通路２０に沿うように配置されている。
【００２１】
図３は、用紙送り装置１０の内部を透視した平面図であり、図４は、図３における外側案内板２１を透視した平面図である。
上述した搬送ロールのうち繰り出し第１ロール３１ａ、繰り出し第２ロール３１ｂ及び繰り出し第３ロール３１ｃはそれぞれ、図３に示すように、搬送される用紙Ｐの幅方向Ｗ（搬送方向Ｘに直交する方向）の中央部の１か所に設けられている。
【００２２】
捌き第１ロール３２ａ及び捌き第２ロール３２ｂはそれぞれ、図４に示すように、搬送される用紙Ｐの幅方向Ｗの異なる５か所に設けられている。これら５組の捌き第１ロール３２ａ及び捌き第２ロール３２ｂのうち幅方向Ｗの両端の２組の捌き第１ロール３２ａ１及び捌き第２ロール３２ｂ１は、幅方向Ｗの中央（両端以外の）の３組の捌き第１ロール３２ａ２及び捌き第２ロール３２ｂ２よりも、幅方向Ｗに沿った長さが短く形成されている。
また、幅方向Ｗの中央の３組の捌き第１ロール３２ａ２及び捌き第２ロール３２ｂ２は、用紙サイズが例えばＢ５サイズやＡ４サイズなどの相対的に幅の狭い用紙Ｐを送った場合にも、用紙Ｐに接する位置に配置されている。一方、幅方向Ｗの両端の２組の捌き第１ロール３２ａ１及び捌き第２ロール３２ｂ１は、用紙サイズが例えばＢ４サイズやＡ３サイズなどの相対的に幅の広い用紙Ｐを送った場合にのみ、用紙Ｐに接する位置に配置されている。
【００２３】
なお、本明細書において、両端の２個の捌き第１ロール３２ａ１と中央の３個の捌き第１ロール３２ａ２とを特に区別する必要がないときは、単に捌き第１ロール３２ａと称することもある。同様に、両端の２個の捌き第２ロール３２ｂ１と中央の３個の捌き第２ロール３２ｂ２とを特に区別する必要がないときは、単に捌き第２ロール３２ｂと称することもある。
これら５個の捌き第１ロール３２ａは、幅方向Ｗに沿って延びた共通の軸３２ｆに固定されていて、この軸３２ｆが、図示を省略した駆動手段によって回転駆動されることで、５個の捌き第１ロール３２ａは連動して回転する。
【００２４】
また、５個の捌き第２ロール３２ｂも、幅方向Ｗに沿って延びた共通の軸３２ｇに固定されていて、この軸３２ｇには圧縮ばね３２ｓが接している。この圧縮ばね３２ｓの軸方向に発生する弾性力により軸３２ｇが軸３２ｆに向けて押され、捌き第２ロール３２ｂを捌き第１ロール３２ａに押圧して接触させている。そして、捌き第１ロール３２ａとの接触により、又は捌き第１ロール３２ａによって送られる用紙Ｐとの接触により、各捌き第２ロール３２ｂは回転する。
【００２５】
レジ第１ロール３３ａ及びレジ第２ロール３３ｂはそれぞれ、図４に示すように、搬送される用紙Ｐの幅方向Ｗの異なる４か所に設けられている。これら４組のレジ第１ロール３３ａ及びレジ第２ロール３３ｂのうち、両端の２組のレジ第１ロール３３ａ１及びレジ第２ロール３３ｂ１は、中央（両端以外の）の２組のレジ第１ロール３３ａ２及びレジ第２ロール３３ｂ２よりも、幅方向Ｗに沿った長さが短く形成されている。
【００２６】
幅方向Ｗの中央の２組のレジ第１ロール３３ａ２及びレジ第２ロール３３ｂ２は、幅方向Ｗに関して、中央の３組の捌き第１ロール３２ａ２及び捌き第２ロール３２ｂ２のうちの両端の捌き第１ロール３２ａ２及び捌き第２ロール３２ｂ２と同じ位置に配置されている。
幅方向Ｗの両端の２組のレジ第１ロール３３ａ１及びレジ第２ロール３３ｂ１は、幅方向Ｗに関して、両端の２組の捌き第１ロール３２ａ１及び捌き第２ロール３２ｂ１と同じ位置に配置されている。
なお、本明細書において、両端の２個のレジ第１ロール３３ａ１と中央の２個のレジ第１ロール３３ａ２とを特に区別する必要がないときは、単にレジ第１ロール３３ａと称することもある。また、両端の２個のレジ第２ロール３３ｂ１と中央の２個のレジ第２ロール３３ｂ２とを特に区別する必要がないときは、単にレジ第２ロール３３ｂと称することもある。
【００２７】
これら４個のレジ第１ロール３３ａは、幅方向Ｗに沿って延びた共通の軸３３ｆに固定されていて、この軸３３ｆが駆動手段によって回転駆動されることで、４個のレジ第１ロール３３ａは連動して回転する。
また、４個のレジ第２ロール３３ｂも、幅方向Ｗに沿って延びた共通の軸３３ｇに固定されていて、この軸３３ｇには圧縮ばね３３ｓが接している。この圧縮ばね３３ｓの軸方向に発生する弾性力により軸３３ｇが軸３３ｆに向けて押され、レジ第２ロール３３ｂをレジ第１ロール３３ａに押圧して接触させている。そして、レジ第１ロール３３ａとの接触により、又はレジ第１ロール３３ａによって送られる用紙Ｐとの接触により、各レジ第２ロール３３ｂは回転する。
【００２８】
なお、送り第１ロール３４ａ（図２参照）及び送り第２ロール３４ｂ並びにアウト第１ロール３５ａ及びアウト第２ロール３５ｂについても、レジ第１ロール３３ａ及びレジ第２ロール３３ｂと同様に、搬送される用紙Ｐの幅方向Ｗの異なる４か所に設けられていて、それぞれが対応する共通の軸３４ｆ，３４ｇ，３５ｆ，３５ｇに固定されている。
そして、送り第１ロール３４ａの共通の軸３４ｆ及びアウト第１ロール３５ａの共通の軸３５ｆがそれぞれ、駆動手段によって回転駆動されることで、４個の送り第１ロール３４ａは連動して回転し、４個のアウト第１ロール３５ａは連動して回転する。
【００２９】
また、送り第２ロール３４ｂの共通の軸３４ｇには、引っ張りばね３４ｓが接していて、この引っ張りばね３４ｓのスラスト方向に発生する弾性力により軸３４ｇが軸３４ｆに向けて押され、送り第２ロール３４ｂを送り第１ロール３４ａに押圧して接触させている。そして、送り第１ロール３４ａとの接触により、又は送り第１ロール３４ａによって送られる用紙Ｐ（図１参照）との接触により、各送り第２ロール３４ｂは回転する。
同様に、アウト第２ロール３５ｂの共通の軸３５ｇには、引っ張りばね３５ｓが接していて、この引っ張りばね３５ｓのスラスト方向に発生する弾性力により軸３５ｇが軸３５ｆに向けて押され、アウト第２ロール３５ｂをアウト第１ロール３５ａに押圧して接触させている。そして、アウト第１ロール３５ａとの接触により、又はアウト第１ロール３５ａによって送られる用紙Ｐとの接触により、各アウト第２ロール３５ｂは回転する。
【００３０】
搬送通路２０に沿って設けられた４つの搬送ロール（捌きロール３２、レジロール３３、送りロール３４及びアウトロール３５）は、搬送方向Ｘに関して相対的に上流側に設けられている搬送ロールよりも相対的に下流側に設けられている搬送ロールの方が、速い回転速度で駆動される。
搬送方向Ｘに関して相隣り合う２つの搬送ロールのピッチと用紙Ｐの長さ（搬送方向Ｘに沿った寸法）との関係により、搬送通路２０を搬送されている用紙Ｐは、１つ又は２つの搬送ロールに挟まれた状態で、搬送方向Ｘに沿って搬送される。２つの搬送ロールで挟まれているときは、搬送方向Ｘの下流側の搬送ロールが上流側の搬送ロールよりも回転速度が速いため、用紙Ｐは、この２つの搬送ロールの間の搬送通路２０において、弛みが無くなり張った状態となる。したがって、用紙Ｐは、曲率を有する搬送通路２０のうち内側案内板２２の内側案内面２２ａに沿って搬送される。
なお、本実施の形態では、内側案内面２２ａは曲率を有する搬送通路２０の内側に配置されているので、内側案内面２２ａ自体が凸面となっているが、この形態に限らず、内側案内板２２は搬送通路２０の曲率を有する範囲の全域に亘って配置されてなくてもよく、搬送通路２０が曲率を有していれば、内側案内面２２ａ自体は直線形状であってもよい。
【００３１】
（超音波センサ）
図５は、図３におけるＶ−Ｖ線に沿った要部断面を示す図である。用紙送り装置１０は、図５に示すように、搬送通路２０のうち、捌きロール３２とレジロール３３との間の曲率を有する部分を通過する用紙Ｐが２枚以上重なって搬送された重送状態を検出する超音波センサ５０（重送検出手段の一例）を備えている。超音波センサ５０は、搬送方向Ｘにおける捌きロール３２とレジロール３３との間であって、図３，４に示すように、用紙Ｐの幅方向Ｗにおける中央部に配置されている。
【００３２】
この超音波センサ５０は、超音波を送信する送信器５１と超音波を受信する受信器５２とを備えている。この用紙送り装置１０では、一例として、送信器５１が搬送通路２０に対して内側案内板２２の側に配置され、受信器５２が搬送通路２０に対して外側案内板２１の側に配置されている。ただし、送信器５１が外側案内板２１の側に配置され、受信器５２が内側案内板２２の側に配置されていてもよい。
送信器５１は、搬送通路２０に対して内側案内板２２の外方で固定され、受信器５２は、搬送通路２０に対して外側案内板２１の外方で固定されていて、送信器５１と受信器５２とは、搬送通路２０を搬送される用紙Ｐを挟んで、送受信面を対向して配置されている。
【００３３】
超音波センサ５０は、送信器５１から送信された超音波を受信器５２で受信し、受信した超音波の信号レベルの大小によって、重送状態になっていないか又は重送状態になっているかの別を検出する。このため、送信器５１から送信された超音波を受信器５２が受信できるように、内側案内板２２及び外側案内板２１のうち、送信器５１から受信器５２までの超音波が通過する部分にはそれぞれ、超音波を通過させる孔２２ｆ，２１ｆが形成されている。
そして、送信器５１と受信器５２とを結んだ、超音波が通過する直線Ｌ１が搬送通路２０上を通過する用紙Ｐと交差する部分Ｔにおいて、重送状態を検出する。
【００３４】
超音波センサ５０は、重送状態を検出する用紙Ｐの部分Ｔにおいて、用紙Ｐに対して傾斜して配置されている。つまり、図５に示すように、超音波センサ５０の送信器５１と受信器５２とを結んだ直線Ｌ１とこの直線Ｌ１が交差する用紙Ｐの部分Ｔにおける用紙Ｐの接線（搬送通路２０を仕切る内側案内板２２の内側案内面２２ａに沿った用紙Ｐの接線）Ｌ２とのなす角度θ（超音波センサ５０に対する用紙Ｐの姿勢の一例）は、角度９０［度］以外の例えば６０［度］から７０［度］の角度範囲に設定されている。
なお、直線Ｌ１と接線Ｌ２とがなす角度θについては、用紙Ｐの仕様（種類や厚さなど）や適用される超音波センサ５０の仕様により決められるものであり、重送状態になっているか否かを峻別する限り、６０［度］から７０［度］の角度範囲に限定されるものではない。
【００３５】
（押圧手段）
本実施の形態の用紙送り装置１０は、図５に示すように、超音波センサ５０によって重送状態が検出される用紙Ｐの部分Ｔにおける、超音波センサ５０に対する用紙Ｐの姿勢（本実施の形態においては角度θ）を安定させる姿勢安定手段の一例として押圧手段６０を備えている。
押圧手段６０は、外側案内板２１に配置されていて、用紙Ｐを部分Ｔにおいて、内側案内面２２ａに押圧する。ここで、内側案内面２２ａは凸面となっていて、押圧手段６０は、この凸面の外方から用紙Ｐを押圧する。そして、押圧手段６０は、用紙Ｐの部分Ｔを内側案内面２２ａに押圧することで、用紙Ｐの部分Ｔの姿勢がばらつくのを抑制している。
【００３６】
図６は、押圧手段６０の詳細の構成を示す斜視図、図７は、図３におけるVII−VII線に沿った要部断面を示す図、図８は、図３におけるVIII−VIII線に沿った要部断面を示す図である。
押圧手段６０は、図６に示すように、軸回りに回転自在の円柱状の押圧部６１と押圧部６１の端面６２からそれぞれ円柱の軸方向に突出した軸部６３とを有するころ６４と、ころ６４に押圧力を付与する引っ張りばね６５とを備える。
外側案内板２１には、搬送通路２０に臨む面である外側案内面２１ａ（図２参照）とは反対側の面の側に突出した２つの軸受け２１ｄが形成されていて、各軸受け２１ｄはころ６４の軸部６３を回転自在に支持する。また、外側案内板２１の２つの軸受け２１ｄの間には開口２１ｅが形成されていて、軸受け２１ｄに軸部６３が支持されたころ６４の押圧部６１の一部が、図８に示すように、開口２１ｅを通して搬送通路２０に突出し、その突出した押圧部６１の外周面６１ａが用紙Ｐに接する。
【００３７】
軸受け２１ｄに支持された両軸部６３（図６参照）にはそれぞれ、軸部６３を外方から軸受け２１ｄに押圧する弾性力を付与する引っ張りばね６５が外方から架け渡されている。各引っ張りばね６５は、弾性変形の領域内で伸ばされた状態で、軸部６３に架け渡されて、図７に示すように、両端６５ａ，６５ｂはそれぞれ外側案内板２１に固定されている。
これにより、軸部６３には引っ張りばね６５のスラスト方向の弾性力が作用し、図８に示すように、押圧部６１の外周面６１ａが、用紙Ｐを内側案内面２２ａに押し付ける。
押圧手段６０は、図３，４に示すように、幅方向Ｗに沿って、用紙Ｐの部分Ｔを挟んで２つ設けられている。
【００３８】
（画像読取部）
用紙送り装置１０は、図２に示すように、搬送通路２０のうちアウトロール３５と排出ロール３６との間に、用紙Ｐ（図１参照）の裏面に保持されている画像を読み取って画像情報を取得する第２画像読取部４０を備えている。この第２画像読取部４０は、搬送通路２０の、押圧手段６０よりも搬送方向Ｘの下流側に設けられた、用紙Ｐに記録された画像を読み取って画像情報を取得する画像読取部の一例である。
この第２画像読取部４０は、搬送通路２０のうちアウトロール３５と排出ロール３６との間の部分を搬送されている用紙Ｐに、搬送方向Ｘに交差する方向に沿って延びた線状の光を照射する線状光源と、線状の光の照射を受けた用紙Ｐの裏面から出射した、その裏面に保持されている画像による線状の反射光を光電的に読み取るラインセンサとを備えている。
【００３９】
なお、後述するように、用紙Ｐが搬送通路２０のうち送りロール３４とアウトロール３５との間を搬送されている期間中、用紙Ｐはプラテン部材３９によってスキャナ装置７０（図１参照）の第２プラテンガラス７２Ｂに押し付けられて、用紙Ｐの表面（おもてめん）に保持されている画像が、第２プラテンガラス７２Ｂを通してスキャナ装置７０によって読み取られる。
ここで、スキャナ装置７０も、搬送通路２０の、押圧手段６０よりも搬送方向Ｘの下流側に設けられた、用紙Ｐに記録されている画像を読み取って画像情報を取得する画像読取部の一例である。
【００４０】
＜スキャナ装置＞
図１に示すように、スキャナ装置７０は、上述した用紙送り装置１０を開閉可能に支持するとともに、用紙送り装置１０によって搬送される用紙Ｐの表面（おもてめん）に保持された画像の読み取りを行う。
スキャナ装置７０は、読み取りの際に用紙Ｐを静止した状態で載せておく第１プラテンガラス７２Ａと、上述した用紙送り装置１０によって用紙Ｐを搬送しながら用紙Ｐの表面（おもてめん）の画像を読み取るための光の開口部となる第２プラテンガラス７２Ｂとを備えている。
なお、以下の説明において、第１プラテンガラス７２Ａと第２プラテンガラス７２Ｂとを区別しない場合には、プラテンガラス７２と称するものとする。
【００４１】
スキャナ装置７０は、第１プラテンガラス７２Ａの下方において、第１プラテンガラス７２Ａの全体を走査して画像を読み込み、又は第２プラテンガラス７２Ｂの下に静止して画像を読み込むフルレートキャリッジ７３及びフルレートキャリッジ７３から得られた反射光を結像部へ供給するハーフレートキャリッジ７４を備えている。
フルレートキャリッジ７３には、用紙Ｐに光を照射するスキャナ光源８１、用紙Ｐから得られた反射光を受光する第１ミラー７５Ａが設けられている。一方、ハーフレートキャリッジ７４には、第１ミラー７５Ａから得られた反射光を結像部へ反射させる第２ミラー７５Ｂ及び第３ミラー７５Ｃが設けられている。
【００４２】
また、スキャナ装置７０は、結像用レンズ７６とＣＣＤイメージセンサ７７とを備えている。これらのうち、結像用レンズ７６は、第３ミラー７５Ｃで反射された反射光の像をＣＣＤイメージセンサ７７に結像させる大きさまで光学的に縮小する。
ＣＣＤイメージセンサ７７は、結像用レンズ７６により縮小された光学像を受光して電気信号に光電変換し、画像情報として読み取る。
【００４３】
スキャナ装置７０は、制御部７８をさらに備えている。制御部７８は、スキャナ装置７０の画像読み取り動作における各部の制御や、読み取られた画像データの処理等を行う。また、制御部７８は、用紙送り装置１０における駆動手段である各種モータ、搬送ロールの動作や、第２画像読取部４０における画像の読み取り動作等の制御を行う。なお、制御部７８における上記の機能はプログラムにより制御されたＣＰＵによって実現される。
【００４４】
また、スキャナ装置７０は、第１プラテンガラス７２Ａと第２プラテンガラス７２Ｂとの間に、用紙送り装置１０により、第２プラテンガラス７２Ｂとプラテン部材３９との間を通過した用紙Ｐをアウトロール３５に向けて案内する斜面が形成されたガイド部材８２が設けられている。
【００４５】
＜画像読取装置の動作＞
次に、本実施の形態の画像読取装置１の動作について説明する。
まず、用紙収容部１１から用紙Ｐが搬送通路２０を搬送される以前に、スキャナ装置７０のフルレートキャリッジ７３及びハーフレートキャリッジ７４は、図１において実線で示す位置に停止した状態で待機する。
制御部７８の制御によって用紙送り装置１０の駆動手段が駆動されて搬送ローラが駆動する。用紙収容部１１に収容された用紙Ｐは、繰り出しロール３１により搬送通路２０に繰り出され、用紙Ｐは搬送通路２０に沿って搬送方向Ｘの下流に搬送される。搬送通路２０に沿って搬送された用紙Ｐは、捌きロール３２により捌かれて１枚ずつ搬送通路２０に沿って搬送方向Ｘの下流に向けて搬送される。
【００４６】
用紙Ｐの先端がレジロール３３に到達すると、用紙Ｐのレジストレーションの調整が行われるとともに、超音波センサ５０により、用紙Ｐが重送されているか否かが検出される。このとき、図４に示すように、超音波センサ５０で重送状態が検出される用紙Ｐ（図５参照）の部分Ｔを挟んで隣接する幅方向Ｗの両側部が、押圧手段６０によって内側案内面２２ａ（図５参照）に押圧されている。これにより、用紙Ｐの部分Ｔも内側案内面２２ａに押圧されて、超音波センサ５０に対する姿勢が安定したものとなる。
【００４７】
したがって、超音波センサ５０と用紙Ｐとがなす角度θのばらつきを防止乃至抑制する。超音波センサ５０に対する用紙Ｐの姿勢の安定により、超音波センサ５０による用紙Ｐの重送状態の検出結果は、用紙Ｐの姿勢が安定していない場合に生じるばらつきが抑制されたものとなる。
【００４８】
本実施の形態の用紙送り装置１０は、超音波センサ５０による重送状態の検出結果が重送ありのときは、制御部７８（図１参照）の制御によって駆動手段の駆動が停止され、搬送ローラの駆動が停止して用紙Ｐの搬送が停止する。一方、超音波センサ５０による重送状態の検出結果が重送なしのときは、搬送ローラの駆動が続行されて、用紙Ｐは、搬送通路２０を搬送方向Ｘの下流側に搬送される。
レジロール３３、送りロール３４により順次下流側に搬送された用紙Ｐが、プラテン部材３９と第２プラテンガラス７２Ｂとの間を通過している期間中、スキャナ光源８１から線状の光が、第２プラテンガラス７２Ｂを通して用紙Ｐの表面（おもてめん）に向けて照射される。照射された光の一部は、用紙Ｐの表面（おもてめん）に保持された画像によって反射し、その反射光は用紙Ｐの表面（おもてめん）に保持された画像を反映したものとなる。
【００４９】
用紙Ｐの表面（おもてめん）から反射した反射光は、第１ミラー７５Ａ、第２ミラー７５Ｂ及び第３ミラー７５Ｃを経て結像用レンズ７６に供給される。さらに、結像用レンズ７６により縮小された光学像がＣＣＤイメージセンサ７７に結像し、ＣＣＤイメージセンサ７７は、その光学像を光電的に読み取り、画像情報を取得する。上述した画像情報の取得が、用紙Ｐの搬送通路２０に沿った搬送方向Ｘへの搬送中を通じて行われ、用紙Ｐの表面（おもてめん）の１枚分の画像の読み取りが行われる。
【００５０】
プラテン部材３９と第２プラテンガラス７２Ｂとの間を通過した用紙Ｐは、ガイド部材８２（図１参照）の斜面に沿って案内されてアウトロール３５に送られる。アウトロール３５は、用紙Ｐを搬送通路２０に沿って排出ロール３６に送り、排出ロール３６は、用紙Ｐを排紙収容部１２に排出する。
用紙Ｐがアウトロール３５と排出ロール３６との間を通過している間、第２画像読取部４０の前を用紙Ｐの裏面が通過する。このとき、第２画像読取部４０が、用紙Ｐの裏面に、用紙Ｐの搬送方向Ｘに直交する方向に延びた線状の光を照射する。
照射された光の一部は、用紙Ｐの裏面に保持された画像によって反射し、その反射光は用紙Ｐの裏面に保持された画像を反映したものとなる。用紙Ｐの裏面から反射した反射光の像は第２画像読取部４０のラインセンサに結像し、ラインセンサは、その反射光の像を光電的に読み取り、画像情報を取得する。この画像情報の取得が、用紙Ｐの搬送方向Ｘへの搬送中を通じて行われ、用紙Ｐの裏面の１枚分の画像の読み取りが行われる。
【００５１】
このように、本実施の形態の画像読取装置１は、用紙Ｐの１回の搬送によって、用紙Ｐの表面（おもてめん）の画像の読み取りと裏面の画像の読み取りとを並行して実行する。なお、用紙Ｐの表面（おもてめん）の画像のみを読み取る場合には、第２画像読取部４０による用紙Ｐの裏面の読み取り動作は実行しない。
【００５２】
なお、スキャナ装置７０は、原稿台７１の第１プラテンガラス７２Ａの上に用紙Ｐを載せ、用紙Ｐを搬送せずに固定した状態で読み取る固定読み取りの場合は、用紙Ｐが第１プラテンガラス７２Ａの上にセットされ、読み取りが開始されるとフルレートキャリッジ７３とハーフレートキャリッジ７４とが、速度比２：１で画像の読み取り方向（図１の白抜き矢印方向）に移動を開始する。
このとき、上述したようにフルレートキャリッジ７３のスキャナ光源８１から用紙Ｐに向けて線状の光が照射される。そして、用紙Ｐからの線状の反射光は、第１ミラー７５Ａ、第２ミラー７５Ｂ及び第３ミラー７５Ｃの順に反射され、結像用レンズ７６に導かれる。結像用レンズ７６に導かれた反射光の像は、ＣＣＤイメージセンサ７７の受光面に縮小して結像される。以上の画像読み取り動作を、フルレートキャリッジ７３及びハーフレートキャリッジ７４が用紙Ｐの全体に亘って移動する期間中行うことで、用紙Ｐの表面の１枚分の画像の読み取りが行われる。
【００５３】
以上のように、本実施の形態の画像読取装置１は、用紙送り装置１０が、搬送通路２０の曲率を有する部分において、搬送される用紙Ｐの重送状態を超音波センサ５０（図２参照）で検出するに際して、その用紙Ｐの検出対象の部分Ｔ（図５参照）の、超音波センサ５０に対する姿勢を、押圧手段６０によって安定させる。これにより、用紙Ｐの部分Ｔにおける、超音波センサ５０に対しする姿勢のばらつきが抑制され、超音波センサ５０による重送状態の検出結果のばらつきも抑制される。
【００５４】
すなわち、超音波センサ５０によって重送状態が検出される用紙Ｐの部分Ｔは、搬送通路２０が曲率を有しているため、用紙Ｐ自体のこしの強さなどの要因で、用紙Ｐが内側案内面２２ａから離れ、超音波センサ５０と用紙Ｐとがなす角度θがばらつくことが起こり得る。
しかし、本実施の形態の用紙送り装置１０は、押圧手段６０が、超音波センサ５０によって重送状態が検出される用紙Ｐの部分Ｔにおける、超音波センサ５０に対する用紙Ｐの姿勢を安定させ、超音波センサ５０と用紙Ｐとがなす角度θのばらつきを防止乃至抑制する。超音波センサ５０に対する用紙Ｐの姿勢の安定により、超音波センサ５０による用紙Ｐの重送状態の検出結果は、用紙Ｐの姿勢が安定していない場合に生じるばらつきが抑制されたものとなる。
なお、ころ６４は、用紙Ｐが内側案内面２２ａに沿って搬送方向Ｘに搬送されると、用紙Ｐの搬送の動きにより、軸部６３回りに回転し、用紙Ｐの搬送動作を阻害しない。
【００５５】
また、本実施の形態の用紙送り装置１０は、面である内側案内面２２ａにころ６４を押圧するため、用紙Ｐの姿勢は、図８に示すように、内側案内面２２ａに沿った一意の姿勢に拘束される。これに対して、仮に、用紙Ｐの両面からころ６４の対で挟むことで用紙Ｐの姿勢を安定させる構成を採用したものでは、対となる２つのころ６４の周面がともに円周面となるため、ころ６４同士の接点位置がずれ易い。つまり、ころ６４の対で用紙Ｐを押圧する構成は、接点位置のわずかなずれによって、２つのころ６４の共通接線の方向が変化して用紙Ｐの姿勢が内側案内面２２ａに対してずれる。
しかし、本実施の形態の用紙送り装置１０は、内側案内面２２ａにころ６４で押圧する構成を採用しているため、ころ６４の対で用紙Ｐを押圧する構成に比べて、用紙Ｐの姿勢の安定性を高め易い。
【００５６】
本実施の形態の用紙送り装置１０は、図２に示すように、搬送手段３０が、凸面である内側案内面２２ａに沿って用紙Ｐ（図１参照）を搬送し、押圧手段６０も凸面である内側案内面２２ａに用紙Ｐを押圧する。つまり、本実施の形態の用紙送り装置１０は、搬送通路２０の全体を通して、用紙Ｐが内側案内面２２ａに沿って案内されるように構成されている。
ここで、図９は、用紙Ｐが２つの搬送ローラによって支持されている状態で、これら２つの搬送ローラの間での用紙Ｐの曲り具合を示す模式図であり、実線は用紙Ｐが押圧手段６０（図６参照）で押圧されていない状態、破線は用紙Ｐが押圧手段６０で内側案内面２２ａに押圧されている状態、一点鎖線は用紙Ｐが押圧手段６０で外側案内面２１ａに押圧されている状態、をそれぞれ示す。
【００５７】
図９に示すように、用紙Ｐは、押圧手段６０によって外側案内面２１ａに押圧された状態では、内側案内面２２ａに押圧された状態に比べて、曲率が大きくなる。そして、用紙Ｐの曲率が大きいと、曲率が小さい場合に比べて、用紙Ｐの円滑な搬送を妨げ易くなる。用紙Ｐの曲率が不規則に変化する場合も、曲率が不規則に変化しない場合に比べて、用紙Ｐの円滑な搬送を妨げ易くなる。
本実施の形態の用紙送り装置１０は、搬送手段３０が凸面である内側案内面２２ａに沿って用紙Ｐを搬送する状態で、仮に押圧手段６０が凹面である外側案内面２１ａに用紙Ｐを押圧する構成を採用したものに比べて、搬送通路２０を搬送されているときの用紙Ｐの曲率が不規則に変化するのを抑制したり、又は曲率が大きくなる（曲率半径が小さくなる）のを抑制したりする。したがって、この用紙送り装置１０は、押圧手段６０が用紙Ｐを外側案内面２１ａに押圧するものよりも、用紙Ｐの円滑な搬送を妨げ難い。
【００５８】
本実施の形態の用紙送り装置１０は、押圧手段６０が、用紙Ｐの幅方向Ｗに沿って、超音波センサ５０によって重送状態が検出される用紙Ｐの部分Ｔを挟んだ２か所に設けられている。これにより、本実施の形態の用紙送り装置１０は、超音波センサ５０によって重送状態が検出される用紙Ｐの部分Ｔを直接押圧しなくても、用紙Ｐの部分Ｔにおける姿勢を安定させる。
【００５９】
＜押圧手段の配置の他の形態＞
上述した実施の形態の用紙送り装置１０は、図４に示すように、押圧手段６０が、用紙Ｐの幅方向Ｗに沿って、超音波センサ５０によって重送状態が検出される用紙Ｐの部分Ｔを挟んで隣接する両側部に設けられたものである。しかし、本発明に係る記録シートの搬送装置及び画像読取装置は、この形態に限定されるものではなく、押圧手段６０を他の位置に設けたものであってもよい。
図１０は、押圧手段６０を、超音波センサ５０によって重送状態が検出される用紙Ｐの部分Ｔを、用紙Ｐの搬送方向Ｘ及び幅方向Ｗに沿ってそれぞれ挟んで隣接する部分の４か所に設けた構成を示す図３相当の要部平面図である。
【００６０】
図１０に示すように、用紙Ｐ（図１参照）の搬送方向Ｘ及び幅方向Ｗに沿って用紙Ｐの部分Ｔをそれぞれ挟んで隣接する部分の４か所に、押圧手段６０を設けた構成の記録シートの搬送装置及び画像読取装置によっても、超音波センサ５０によって重送状態が検出される用紙Ｐの部分Ｔの周囲４か所を押圧手段６０が押圧することにより、超音波センサ５０に対する用紙Ｐの部分Ｔの姿勢が安定し、上述した実施の形態の用紙送り装置１０及び画像読取装置１と同様の作用、効果を発揮する。
また、この形態の記録シートの搬送装置及び画像読取装置は、押圧手段６０の配置を、搬送方向Ｘに関して用紙Ｐの部分Ｔと同じ位置に限定する必要が無い。したがって、この形態の記録シートの搬送装置及び画像読取装置によれば、押圧手段６０の配置自由度が高められる。
【００６１】
上述した実施の形態の用紙送り装置１０は、画像読取装置１の一部として構成された形態であるが、画像読取装置１の一部して構成されたものに限定されるものではなく、スキャナ装置７０と切り離された、独立した記録シート搬送装置であってもよい。
したがって、用紙送り装置１０は、例えば、搬送通路２０のうち、姿勢安定手段の一例である押圧手段６０よりも、用紙Ｐの搬送方向Ｘの下流側に、用紙Ｐに画像を形成する画像形成部を備えた画像形成装置における給紙部等記録シートの搬送部としても適用し得る。
【００６２】
また、上述した用紙送り装置１０は、搬送通路２０が、超音波センサ５０の近傍で用紙Ｐの表面（おもてめん）に対向した外側案内面２１ａと用紙Ｐの裏面に対向した内側案内面２２ａとの２つの案内面を有するものであるが、外側案内面２１ａ及び内側案内面２２ａのうち少なくとも一方を備えたものであってもよい。
用紙Ｐが押圧される押圧手段６０や案内面（内側案内面２２ａ、外側案内面２１ａ）の位置は、超音波センサ５０の近傍であればよい。例えば、これら押圧手段６０や案内面は、搬送方向Ｘについては超音波センサ５０と同一線上にあり垂直な方向（用紙Ｐの幅方向Ｗ）については超音波センサ５０とずれた位置に配置してもよいし、搬送方向Ｘについては超音波センサ５０と同一線上ではなく上流方向又は下流方向に多少離れた位置に配置してもよい。つまり、これら押圧手段６０や案内面は、超音波センサ５０によって検出される用紙Ｐの部分Ｔの、超音波センサ５０に対する姿勢を規制できる程度の位置に配置されればよい。
【符号の説明】
【００６３】
１…画像読取装置、１０…用紙送り装置、２０…搬送通路、３２…捌きロール、３３…レジロール、５０…超音波センサ、５１…送信器、５２…受信器、６０…押圧手段、６４…ころ、６５…引っ張りばね、Ｐ…用紙、Ｔ…部分
【図１】
0006372223.tif 000002
【図２】
0006372223.tif 000003
【図３】
0006372223.tif 000004
【図４】
0006372223.tif 000005
【図５】
0006372223.tif 000006
【図６】
0006372223.tif 000007
【図７】
0006372223.tif 000008
【図８】
0006372223.tif 000009
【図９】
0006372223.tif 000010
【図１０】
0006372223.tif 000011